(57)【要約】      （修正有）【課題】表示パネルユニットとバックライトユニットとが着脱可能に形成される表示装置の表示パネルユニットを単体でも安定して自立させる。【解決手段】表示パネルユニットと、該表示パネルの背面から光を照射するバックライトユニットとを備え、表示パネルユニットとバックライトユットとが着脱自在に取り付けられる表示装置であって、箱体状の第１の筐体は当該筐体の開口方向に側壁面に沿って形成され、該開口面より突出する第１の凸状体を有し、バックライトユニットは、該第１の面に対向する第２の面が側壁部に沿って開口される箱体状の筐体を有し、当該筐体の側壁部から突出して形成され、表示パネルユニットと前記バックライトユニットとの勘合時に第１の凸状体と対峙し、表示パネルと光源とを所定距離に係止させる第２の凸状体を有し、第１の筐体の開口面方向に第１の凸状体よりも突出する第３の凸状体を設けた表示装置である。【選択図】図１
2010181708.tif 000002
【特許請求の範囲】
【請求項１】
表示パネルユニットと、該表示パネルの背面から光を照射するバックライトユニットとを備え、前記表示パネルユニットと前記バックライトユットとが着脱自在に取り付けられる表示装置であって、
前記表示パネルユニットは第１の面に表示パネルが配置され、該第１の面に対向する第２の面が側壁部に沿って開口される箱体状の第１の筐体を有し、
前記バックライトユニットは第１の面に光源が内装され、該第１の面に対向する第２の面が側壁部に沿って開口される箱体状の第２の筐体を有し、
前記第１の筐体は当該筐体の開口方向に側壁面に沿って形成され、該開口面より突出する第１の凸状体を有し、
前記第２の筐体は当該筐体の側壁部から突出して形成され、前記表示パネルユニットと前記バックライトユニットとの勘合時に、前記第１の凸状体と対峙し、前記表示パネルと前記光源とを所定距離に係止させる第２の凸状体を有し、
前記第１の筐体の開口面方向に前記第１の凸状体よりも突出する第３の凸状体を設けたことを特徴とする表示装置。
【請求項２】
請求項１に記載の表示装置において、
前記第１の凸状体と前記第３の凸状体との少なくとも一方はその先端部分が前記第１の筐体の外側方向に折り曲げられていることを特徴とする表示装置。
【発明の詳細な説明】
【技術分野】
【０００１】
本発明は表示装置に係わり、表示パネルユニットとバックライトユットとが着脱自在に取り付けられ表示装置に関する。
【背景技術】
【０００２】
近年、ｘ方向に延在しｙ方向に並設された複数のゲート線とｙ方向に延在しｘ方向に並設された複数のドレイン線とで囲まれた領域に、少なくとも、ゲート線からの走査信号によってオンされる薄膜トランジスタと、このオンされた薄膜トランジスタを介してドレイン線からの映像信号が供給される画素電極を備えて画素を構成し、各画素において液晶を介して光透過率を独立に制御させるように構成されている液晶表示装置が一般的となっている。この液晶表示装置は非発光型の表示装置であるため、光透過率を独立に制御させる液晶表示パネルと、該液晶表示パネルの背面から光を照射するバックライトとを備えるのが通常となっている。
【０００３】
このような構成の液晶表示装置として、例えば、特許文献１に記載の表示装置がある。この特許文献１に記載の表示装置のように、従来の液晶表示装置は液晶表示パネルとバックライトとが一体に構成されている。
【先行技術文献】
【特許文献】
【０００４】
【特許文献１】特開２００８−２１６６０６号公報
【発明の概要】
【発明が解決しようとする課題】
【０００５】
一方、近年の液晶表示装置の用途範囲の拡大に伴い、バックライトが配置されるバックライトユニットと液晶表示パネル部とを自在に分離可能な構造を有する液晶表示装置が要望されるに至っている。
【０００６】
このような構造の液晶表示装置として、液晶表示パネルとバックライト用の光源とをそれぞれ大きさの異なる箱体状のフレームに取り付け、一方のフレームの側壁部（例えば、液晶表示パネル側）に沿って他方のフレーム（例えば、バックライト側）の側壁部を挿入することにより、液晶表示パネルが搭載される表示パネルユニットとバックライトユニットを自在に分離することを可能とした構成が提案されている。
【０００７】
この構成の液晶表示装置では、挿入する側のフレームの側壁面には外側方向に突出する受け台を形成し、挿入される側のフレームには挿入方向に突出し、挿入時には受け台に対峙する位置に据え付け足を形成する構成となっている。この受け台と据え付け足とを設けることにより、相互のフレームの挿入量すなわち液晶表示パネルとバックライトとの間隔を所定間隔に保持させる構成としている。
【０００８】
前述する構成の液晶表示ユニットを生産する際、又は分離した液晶表示ユニットを一時的に保管する際、一番安定した状態で当該液晶表示ユニットを自立させておく方法は、面積の広い面を下側にして自立させることである。
【０００９】
しかしながら、表示面側すなわち液晶表示パネルが配置されている側の面を下側にして自立させた場合、液晶表示パネルを破損してしまう可能性が増大してしまうという問題がある。さらには、液晶表示パネルの組み付け時に、表示面側と対向する側から構成部品を組み付けて液晶表示パネルを形成しなければならないために、作業効率が低下してしまうという問題もある。
【００１０】
この問題を解決する方法として、他方の面である該液晶表示パネルと対向する側すなわちバックライトフレームが挿入される側には据え付け足が形成されている側の面を下側にして自立させる方法が考えられる。しかしながら、液晶表示パネルの組み付け作業に伴う押力等により据え付け足が変形又は破損してしまい、液晶表示パネルとバックライトとの間隔を所定間隔に保持できないという問題がある。さらには、据え付け足はバックライトユニットに形成した受け台の形成位置に対応した突出量となっているので、全ての据え付け足の突出量を同じ突出量にできず、液晶表示ユニットを安定して自立させることができないという問題もある。
【００１１】
本発明はこれらの問題点に鑑みてなされたものであり、本発明の目的は、表示パネルユニットとバックライトユニットとが着脱可能に形成される表示装置の表示パネルユニットを単体でも安定して自立させることが可能な技術を提供することである。
【００１２】
本発明の他の目的は、表示パネルユニットの据え付け足の変形及び破損等の防止することが可能な技術を提供することである。
【００１３】
本発明のその他の目的については、明細書全体の記載から明らかにされる。
【課題を解決するための手段】
【００１４】
前記課題を解決すべく、表示パネルユニットと、該表示パネルの背面から光を照射するバックライトユニットとを備え、前記表示パネルユニットと前記バックライトユットとが着脱自在に取り付けられる表示装置であって、前記表示パネルユニットは第１の面に表示パネルが配置され、該第１の面に対向する第２の面が側壁部に沿って開口される箱体状の第１の筐体を有し、前記バックライトユニットは第１の面に光源が内装され、該第１の面に対向する第２の面が側壁部に沿って開口される箱体状の第２の筐体を有し、前記第１の筐体は当該筐体の開口方向に側壁面に沿って形成され、該開口面より突出する第１の凸状体を有し、前記第２の筐体は当該筐体の側壁部から突出して形成され、前記表示パネルユニットと前記バックライトユニットとの勘合時に、前記第１の凸状体と対峙し、前記表示パネルと前記光源とを所定距離に係止させる第２の凸状体を有し、前記第１の筐体の開口面方向に前記第１の凸状体よりも突出する第３の凸状体を設けた表示装置である。
【００１５】
前記課題を解決すべく、請求項１に記載の表示装置において、前記第１の凸状体と前記第３の凸状体との少なくとも一方はその先端部分が前記第１の筐体の外側方向に折り曲げられている表示装置である。
【発明の効果】
【００１６】
本発明の表示装置では、表示パネルユニットに据え付け足よりも突出量が大きい凸状体を設ける構成となっているので、表示パネルと対向する側すなわちバックライトフレームが挿入される側の面を下側にして表示パネルユニットを単体で自立させた場合であっても、表示パネルユニットを安定して自立させることができる。
【００１７】
その結果、表示パネルと対向する側の面を下側にして自立させた場合であっても、凸状体で表示パネルユニットを支えるので、表示パネルの組み付け作業に伴う押力等により据え付け足が変形又は破損してしまうことを防止することができる。
【００１８】
本発明のその他の効果については、明細書全体の記載から明らかにされる。
【図面の簡単な説明】
【００１９】
【図１】本発明の実施形態の表示装置の概略構成を説明するための斜視図である。
【図２】図１に示す本発明の実施形態の表示装置の拡大図である。
【図３】本発明の実施形態の液晶表示ユニットの概略構成を説明するための図である。
【図４】図３に示す本発明の実施形態の液晶表示ユニットの拡大図である。
【図５】図３に示す本発明の実施形態の液晶表示ユニットの断面図である。
【発明を実施するための形態】
【００２０】
以下、本発明が適用された実施形態の例について、図面を用いて説明する。ただし、以下の説明において、同一構成要素には同一符号を付し繰り返しの説明は省略する。
【００２１】
〈全体の構成〉
図１は本発明の実施形態の表示装置の概略構成を説明するための斜視図であり、図２は図１に示す表示装置の拡大図である。ただし、以下の説明では、表示装置として液晶表示パネルを備える液晶表示ユニット（表示パネルユニット）ＬＣＵと、液晶表示パネルの裏面側からバックライト光を照射するバックライトユニットＢＬＵとからなる液晶表示装置に本願発明を適用した場合について説明する。
【００２２】
図１に示す本実施形態の液晶表示装置は、周知の液晶表示パネルを備える液晶表示ユニットＬＣＵと、液晶表示パネルの裏面側からバックライト光を照射するバックライトユニットＢＬＵとからなる２つのユニットを勘合させ一体化させることによって、液晶表示装置として機能する構成となっている。また、本実施形態の液晶表示装置では、液晶表示ユニットＬＣＵとバックライトユニットＢＬＵとが略四辺形に形成され着脱可能な構成となっており、バックライトユニットＢＬＵの側壁部に液晶表示ユニットＬＣＵ側壁部を嵌め込むように一体化させる構成となっている。
【００２３】
以下、図１及び図２に基づいて、本実施形態の液晶表示装置について詳細に説明する。
【００２４】
図１に示すように、本実施形態の液晶表示装置は、バックライトユニットＢＬＵに液晶表示ユニットＬＣＵを勘合させることにより、液晶表示装置を形成する構成となっている。このとき、本実施形態では、バックライトユニットＢＬＵの方が液晶表示ユニットＬＣＵよりも小さい構成となっている。
【００２５】
すなわち、液晶表示ユニットＬＣＵは一方の平面部分が開口される略四辺形の箱体状の筐体（フレーム）ＬＣＵ１を備えている。該開口面と対向する底面の外側に図示しない液晶表示パネルが配置されている。即ち、図１のフレームＬＣＵ１の上に光学シートと液晶パネルが配置される。このフレームの底面部には液晶パネルの背面にバックライトからの光を透過させるための窓が形成されている。また、液晶表示ユニットＬＣＵを形成するフレームＬＣＵ１では、液晶表示パネルが配置される面（底面）と前記一方の平面部の開口面の大きさが同じとなるように、側壁部は液晶表示パネル配置面に対して垂直に形成されている。
【００２６】
同様に、バックライトユニットＢＬＵも一方の平面が開口される略四辺形の箱体状の筐体（フレーム、シャーシ）ＢＬＵ１を備えている。開口面と対向する底面に図示しない光源（例えば、例陰極管やＬＥＤ等）が配置されている。光源から出射された光はバックライトユニットＢＬＵの開口面と、液晶表示ユニットＬＣＵの窓を通って前記液晶パネルを背面から照らす。また、バックライトユニットＢＬＵを形成するフレームＢＬＵ１においても、光源が配置される面（底面）と開口面の大きさが同じとなるように、側壁部はバックライト配置面に対して垂直に形成されている。
【００２７】
また、本実施形態の液晶表示装置では、バックライトユニットＢＬＵの側壁部の外周側よりも、液晶表示ユニットＬＣＵの側壁部の内周側が大きく形成されている。このような構成とすることによって、液晶表示ユニットＬＣＵの側壁部に沿ってバックライトユニットＢＬＵの側壁部を挿入可能な構成とし、液晶表示ユニットＬＣＵとバックライトユニットＢＬＵとを勘合させる構成となっている。この構成により、液晶表示ユニットＬＣＵとバックライトユニットＢＬＵとの脱着を適宜行うことを可能としている。
【００２８】
また、本実施例では、バックライトユニットＢＬＵのフレームＢＬＵ１および液晶表示ユニットＬＣＵのフレームＬＣＵ１は亜鉛メッキ鋼板から形成した。
【００２９】
図２に示すように、本実施形態の液晶表示装置では、バックライトユニットＢＬＵの側壁面には外周面（外側）方向に突出する凸状体である受け台ＢＰＢが形成される構成となっている。受け台ＢＰＢは、例えば、長辺側の側壁部にコの字型の切り込みを形成し、該切り込みによって形成される部分を図２に示すように側壁面に対して垂直かつ外側方向に立てるようにして屈曲させることによって形成される。
【００３０】
一方、挿入される側となる液晶表示ユニットＬＣＵの長辺側の側壁面には、側壁面の延在方向であり開口方向に突出する凸状体である据え付け足ＢＩＬが形成される構成となっている。すなわちバックライトユニットＢＬＵが挿入される側に突出する凸状体である据え付け足ＢＩＬが形成される。該据え付け足ＢＩＬはバックライトユニットＢＩＬの挿入時に、該バックライトユニットＢＬＵの側壁部に形成される受け台ＢＰＢに対峙する位置に形成される構成となっている。据え付け足ＢＩＬは、例えば、側壁部を形成する際に側壁部の開口側となる周縁部から当該側壁部の延在方向に延出する延出部を形成し、図２に示すように、該延出部の先端部分を側壁面に対して垂直かつ外側方向に屈曲させることにより据え付け足ＢＩＬが形成される。
【００３１】
このような受け台ＢＰＢと据え付け足ＢＩＬとを設けることにより、相互のフレームの挿入量すなわち液晶表示パネルとバックライトとの間隔を所定間隔に保持させる構成としている。
【００３２】
さらには、本実施形態の液晶表示装置では、据え付け足ＢＩＬの外側、すなわち据え付け足ＢＩＬよりも液晶表示ユニットＬＣＵの四隅に近い領域（例えば、図２中の据え付け足ＢＩＬの右側領域）に、それぞれ自立足ＩＤＬが形成される構成となっている。該自立足ＩＤＬは机上等の平坦面に当該液晶表示ユニットＬＣＵを液晶表示パネル側を上側（開口側を下側）にして載置させた際に、据え付け足ＢＩＬ等の開口側の構成部材が机上面と接触することを防止する。すなわち、本実施形態の液晶表示ユニットＬＣＵでは、開口側にもっとも突出する据え付け足ＢＩＬよりも高さＨだけ突出する構成となっている。このような構成とすることにより、液晶表示ユニットを生産する際、又は分離した液晶表示ユニットを一時的に保管する際、液晶表示パネル側を上にして自立させた場合であっても、液晶表示パネルの組み付け作業に伴う押力等により据え付け足ＢＩＬが変形又は破損してしまうことを防止することができる。
【００３３】
さらには、バックライトユニットＢＬＵに形成した受け台ＢＰＢの形成位置が受け台ＢＰＢ毎に異なる位置に形成されている場合、液晶表示パネルとバックライトとの距離を一定に保持するため、受け台ＢＰＢに対応した突出量で据え付け足ＢＩＬを形成する必要がある。この場合、側壁部からの突出量が据え付け足ＢＩＬ毎に異なることとなるが、自立足ＩＤＬは据え付け足ＢＩＬと異なる構造体となるので、全ての自立足ＩＤＬの側壁部からの突出量を同じ突出量で形成することにより、液晶表示ユニットＬＣＵを水平に安定して自立させることができる。なお、自立足ＩＤＬの形成位置は長辺側の側壁部に限定されることはなく、短編側の側壁部又は長辺側と短編側との組み合わせでもよい。さらには、据え付け足ＢＩＬよりも内側の領域すなわち液晶表示ユニットＬＣＵの四隅よりも遠い領域に自立足ＩＤＬを形成してもよい。
【００３４】
本実施形態の液晶表示装置における自立足ＩＤＬの形成方法は、前述する据え付け足ＢＩＬと同様に、例えば、側壁部を形成する際に側壁部の開口側となる周縁部から当該側壁部の延在方向に延出する延出部を形成し、図２に示すように該延出部の先端部分を側壁面に対して垂直かつ外側方向に屈曲させることにより自立足ＩＤＬを形成することが出来る。
【００３５】
以下、図３に本発明の実施形態の液晶表示ユニットの概略構成を説明するための図を、図４に図３に示す据え付け足と自立足部分の拡大図、図５に液晶表示装置の断面図を示し、以下、図３、図４及び図５に基づいて、本実施形態の液晶表示ユニットの詳細構成を説明する。ただし、図３において、図３（ａ）は本実施形態の液晶表示ユニットの上面図であり、図３（ｂ）は本実施形態の液晶表示ユニットの長辺側の側面図であり、図３（ｃ）は本実施形態の液晶表示ユニットの短辺側の側面図である。また、図４において、図４（ａ）は長辺側の拡大図であり、図４（ｂ）は短辺側の拡大図である。
【００３６】
図３（ａ）に示すように、本実施形態の液晶表示ユニットＬＣＵは、上面側にバックライトユニットＢＬＵからの光を液晶パネルに透過させるための窓ＣＬＵＷを有している。また、対向配置される２つの側壁部の長辺部分であり、液晶表示ユニットＬＣＵの四隅にはそれぞれ据え付け足ＢＩＬと自立足ＩＤＬとが形成される構成となっている。このとき２つの対向配置される側壁部の内で、本実施形態では図中上側の側壁部に配置される自立足ＢＩＬと図中下側の側壁部に配置される自立足ＩＤＬとは、それぞれＹ軸方向に対称な位置に形成される構成となっている。ただし、自立足ＩＤＬの形成位置は対称な位置に限定されることはなく、非対称な位置でもよい。
【００３７】
また、本実施形態の液晶表示ユニットＬＣＵを構成する筐体は、据え付け足ＢＩＬと自立足ＩＤＬとが形成される箱体状のフレームである図示しない下フレームと、該下フレームの外側に露出される上面及び側壁面を覆うようにして当該下フレームに係止される図示しない上フレームとから構成される。
【００３８】
図５は液晶表示装置の断面図である。本実施形態の液晶表示ユニットＬＣＵは表示面側すなわち観察者側から、上フレームＵＦ、液晶表示パネルＰＮＬ、光学シートＬＳＨ、液晶表示ユニットＬＣＵの筐体、およびバックライトユニットＢＬＵが順次配置される構成となっている。
【００３９】
バックライトユニットの底面には光源ＬＳが配置され、光源ＬＳは図中の矢印のごとく液晶パネルに向かって光を放出している。
【００４０】
下フレームは後述する液晶表示領域に対応する部分に開口が形成される箱体状のフレームであり、本実施形態では厚さ１．０ｍｍの亜鉛メッキ鋼板で形成されており、その側壁部には据え付け足ＢＩＬと自立足ＩＤＬとが一体に形成されている。該下フレームの上方すなわち該液晶表示パネルの背面には、たとえば拡散シート、プリズムシート、あるいはこれらの積層体からなる光学シートが配置される構成となっている。該光学シートは、バックライトユニットＢＬＵからの光を拡散、あるいは集光させたりして液晶表示パネルＰＮＬ側へ導くようになっている。
【００４１】
液晶表示パネルＰＮＬは、一対の対向配置された例えばガラスからなる基板を外囲器とし、これら各基板の間に液晶が封止される構成となっている。該一対の基板の液晶側の面には、マトリックス状に配置された画素が液晶を一構成要素として形成され、これら各画素毎に光透過率を制御できるようになっている。これら各画素が形成された領域を液晶表示領域とし、バックライトユニットＢＬＵからの光を該液晶表示領域の全域にわたって照射し、各画素を透過する光を通して映像を認識させるようになっている。
【００４２】
また、上フレームは液晶表示パネルＰＮＬの液晶表示領域に対向する部分に開口が形成され、下フレームに係止されて取り付けられている。
【００４３】
このように、本実施形態の液晶表示ユニットＬＣＵは下フレームと上フレームとによって、液晶表示パネルＰＮＬ及び光学シートをモジュール化させる構成となっている。
【００４４】
また、図３（ｂ）に示すように、本実施形態の液晶表示ユニットＬＣＵでは、自立足ＩＤＬは側壁部の長辺方向すなわちＸ軸方向に対して対称な位置に形成される。また、図３（ｃ）に示すように、自立足ＩＤＬの先端部分が側壁部の外側面方向に屈曲される構成となっている。ただし、自立足の形成位置は対称な位置に限定されることはなく、非対称な位置でもよい。
【００４５】
このように形成される自立足ＩＤＬは、図４（ａ）に示すように、側壁部の開口面からの据え付け足ＢＩＬの突出量をＬ１、自立足ＩＤＬの突出量をＬ２、据え付け足ＢＩＬの突出量Ｌ１と自立足ＩＤＬの突出量Ｌ２との差をＨとした場合、Ｌ２＞Ｌ１であり、Ｈ＝１ｍｍである。ただし、据え付け足ＢＩＬの突出量Ｌ１と自立足ＩＤＬの突出量Ｌ２との差Ｈは１ｍｍに限定されることはなく、Ｌ２＞Ｌ１を満たす差Ｈならばよい。ただし、当該液晶表示ユニットＬＣＵを机上等に載置した際の表面の段差等を考慮すると、Ｈは１ｍｍ以上とする方がよい。
【００４６】
また、図４（ｂ）に示すように、据え付け足ＢＩＬの側面方向すなわちＹ軸と平行な方向への突出量は、据え付け足ＢＩＬよりも自立足ＩＤＬの方が少ない構成となっている。ただし、この突出量はこの構成に限定されることはなく、同じ突出量又は自立足ＩＤＬの突出量が多くてもよい。
【００４７】
以上説明したように、本発明の実施形態の表示装置では、液晶表示パネルを配置した液晶表示ユニットＬＣＵとバックライトを配置したバックライトユニットＢＬＵとをそれぞれ箱体状のフレームで形成する。各フレームにおいて液晶表示パネル又はバックライトを配置した面と対向する面を開口する構成とし、バックライトユニットＢＬＵのフレームには側壁面内に外周方向の突出する平板状の受け台ＢＰＢが形成される構成とする。
【００４８】
一方、液晶表示ユニットＬＣＵは側壁面の延在方向であり、その開口面側に突出する据え付け足ＢＩＬを形成し、その形成位置を受け台ＢＰＢの形成位置と一致させることによって、液晶表示ユニットＬＣＵとバックライトユニットＢＬＵとを勘合させた際のバックライト位置と液晶表示パネルとの間隔を所定間隔に保持させ構成となっている。このとき、本実施形態の表示装置の液晶表示ユニットでは据え付け足ＢＩＬよりも開口方向に突出させる（Ｌ２＞Ｌ１）自立足ＩＤＬを形成する構成となっているので、液晶表示ユニットＬＣＵを机上等に開口側を下側にして載置した場合であっても、自立足ＩＤＬで当該液晶表示ユニットＬＣＵの自立が維持できるので、安定した姿勢で液晶表示ユニットＬＣＵを自立させることができる。
【００４９】
さらには、本実施形態の表示装置では、据え付け足ＢＩＬよりも自立足ＩＤＬが開口方向に突出して形成されているので、当該液晶表示ユニットＬＣＵを机上に載置した場合であっても、据え付け足ＢＩＬが机等の接触することを防止できるので、据え付け足ＢＩＬの変形や破損を防止できるという格別の効果を得ることができる。
【００５０】
なお、本実施形態の液晶表示装置においては、自立足ＩＤＬの下端部も据え付け足ＢＩＬと同様に、外側に先端部分を折り曲げた形状としたが、これに限定されることはなく、折り曲げ処理をしない形状でもよい。しかしながら、折り曲げ処理をした形状とすることにより、当該液晶表示ユニットＬＣＵを机上等に載置した際に、自立足ＩＤＬで机上表面を削り該削りかすが当該液晶表示ユニットＬＣＵ内部に進入してしまう等を防止できるという格別の効果を得ることができる。
【００５１】
また、本実施形態の液晶表示ユニットＬＣＵでは、自立足ＩＤＬの側面方向すなわちＹ軸方向の突出量が据え付け足ＢＩＬの突出量よりも大きい場合について説明したが、これに限定されることはなく、自立足ＩＤＬの側面方向の突出量と据え付け足ＢＩＬの突出量とを同じ突出量とする又は据え付け足ＢＩＬの側面方向の突出量よりも自立足ＩＤＬの突出量を大きくしてもよい。しかしながら、本実施形態の表示装置では、前述するように、液晶表示ユニットＬＣＵとバックライトユニットＢＬＵとを勘合させる際、据え付け足ＢＩＬはバックライトユニットＢＬＵに形成した受け台ＢＰＢと対峙し、液晶表示パネルＰＮＬとバックライトとの距離を所定間隔に保持させるために重要な構成部材である。すなわち、自立足ＩＤＬは液晶表示ユニットＬＣＵの製造時や液晶表示パネルＰＮＬとバックライトとの分離時等に必要となるものであり、一体化させた後の通常使用時の障害にならないよう側面からの突出量を抑えるために、据え付け足ＢＩＬよりも少なくする方がよい。
【００５２】
また、本実施形態の液晶表示ユニットＬＣＵでは、４個所に自立足ＩＤＬを形成する構成としたが、これに限定されることはなく、３個以上の自立足ＩＤＬを設けることにより、液晶表示ユニットＬＣＵを単体で安定した姿勢で机上等に載置させることは可能である。しかしながら、液晶表示ユニットＬＣＵを組み立てる際に、自立足ＩＤＬが形成される下フレームを机上に載置し、構成部品を順番に下フレームに組み付ける場合、本実施形態では最後に下フレームに上フレームを勘合させる構成となっているので、勘合に要する力を分散させるためには、少なくとも下フレームの四隅に自立足ＩＤＬを形成する構成がよい。さらには、本願発明を２０インチ以上等の大型の液晶表示装置に適用する場合には、当該液晶表示装置の下フレームの四隅と長辺側の中心部の領域に各１個所ずつの合計６個所等のように、より多くの自立足ＩＤＬを設けてもよい。このように、より多くの自立足ＩＤＬを設けることにより、製造時等に１個所の自立足ＩＤＬにかかる荷重を分散できると共に、下フレームの変形等も防止できる。
【００５３】
また、本実施形態の液晶表示装置では、液晶表示パネルＬＣＵ側にバックライトユニットＢＬＵを挿入する構成としたが、これに限定されることはなく、バックライトユニットＢＬＵを形成する箱体状の筐体（フレーム）の側壁部の内周側よりも、液晶表示ユニットＬＣＵを形成する箱体状の筐体（フレーム）の側壁部の外周側を大きく形成し、バックライトユニットＢＬＵに液晶表示ユニットＬＣＵを挿入する構成としてもよい。この場合には、バックライトの側壁面の内側方向に突出する受け台ＢＰＢを形成すると共に、植え付け足ＢＩＬ及び自立足ＩＤＬの先端部分の折り曲げ方向も内側に折り曲げる必要がある。
【００５４】
さらには、本実施形態では表示装置として液晶表示パネルを用いた場合について説明したが、本願発明は液晶表示装置に限定されることはなく、例えば開口量を可変させることによってバックライト光の透過量を可変させる形式の表示装置等にも適用可能である。また、本願発明は複数のユニットを勘合させて形成される製品にも適用可能である。
【符号の説明】
【００５５】
ＰＮＬ・・・液晶表示パネル、ＢＩＬ・・・据え付け足、ＢＰＢ・・・受け台
ＩＤＬ・・・自立足、ＬＣＵ・・・液晶パネルユニット、ＢＬＵ・・・バックライトユニット。
【図１】
2010181708.tif 000003
【図２】
2010181708.tif 000004
【図３】
2010181708.tif 000005
【図４】
2010181708.tif 000006
【図５】
2010181708.tif 000007